(57)【要約】【課題】  簡易な構成で、光学部材の面精度の歪みを最小限に抑えながら、光学装置に衝撃が加えられた際の脱落を防止することが可能な光学装置を提供する。【解決手段】  第２の付勢部材３０２は、光学装置が衝撃を受けない場合、光学部材２００と接触して光学部材を光軸方向及び光軸と垂直な方向へ付勢しており、第３の付勢部材３０３は、光学装置が衝撃を受けない場合、光学部材と接触しておらず、第３の付勢部材は、光学装置が衝撃を受けた場合、光学部材と接触して光学部材を光軸方向へ付勢する【選択図】  図２
2018022071.tif 000002
【特許請求の範囲】
【請求項１】
光学部材を保持する保持部材と、
前記保持部材に形成され、且つ前記光学部材を光軸方向及び前記光軸方向と垂直な方向へ付勢する第１の付勢部材と、
前記保持部材に形成され、且つ周方向において前記第１の付勢部材と異なる位相に形成された第２の付勢部材と、
前記保持部材に形成され、且つ周方向において前記第１の付勢部材よりも前記第２の付勢部材に近い位相に形成された第３の付勢部材と、を有する光学装置であって、
前記第２の付勢部材は、前記光学装置が衝撃を受けない場合、前記光学部材と接触して前記光学部材を光軸方向及び前記光軸と垂直な方向へ付勢しており、
前記第３の付勢部材は、前記光学装置が衝撃を受けない場合、前記光学部材と接触しておらず、
前記第３の付勢部材は、前記光学装置が衝撃を受けた場合、前記光学部材と接触して前記光学部材を光軸方向へ付勢することを特徴とする光学装置。
【請求項２】
前記光学装置が衝撃を受けない場合に前記第２の付勢部材が前記光学部材と接触する面積は、前記光学装置が衝撃を受けた場合に前記第３の付勢部材が前記光学部材と接触する面積よりも小さい請求項１に記載の光学装置。
【請求項３】
前記光学部材に対する前記第１の付勢部材の光軸方向の付勢力は、前記光学部材に対する前記第２の付勢部材の光軸方向の付勢力よりも大きい請求項１又は２に記載の光学装置。
【請求項４】
前記光学部材に対する前記第１の付勢部材の光軸と垂直な方向の付勢力は、前記光学部材に対する前記第２の付勢部材の光軸方向の付勢力よりも大きい請求項１乃至３の何れか一項に記載の光学装置。
【請求項５】
前記第２の付勢部材の光軸方向に伸びた突起部の先端は、前記光学装置が衝撃を受けない場合、前記光学部材の前記光軸と垂直な方向に伸びた突起部と接触して前記光学部材を光軸方向及び前記光軸方向と垂直な方向へ付勢しており、
前記第３の付勢部材の光軸方向に伸びた突起部の先端は、前記光学装置が衝撃を受けた場合、前記光学部材の前記光軸と垂直な方向に伸びた突起部と接触して前記光学部材を光軸方向へ付勢する請求項１乃至４の何れか一項に記載の光学装置。
【請求項６】
前記光軸と垂直な方向から見た場合、前記第２の付勢部材は、光軸を中心として対称に一対設けられ、
前記光軸と垂直な方向から見た場合、前記第３の付勢部材は、光軸を中心として対称に一対設けられている請求項１乃至５の何れか一項に記載の光学装置。
【請求項７】
前記光軸と垂直な方向から見た場合、前記光軸を中心として対称に一対設けられた第３の付勢部材は、前記光軸を中心として対称に一対設けられた第２の付勢部材よりも光軸の中心に近い位置に設けられている請求項６に記載の光学装置。
【請求項８】
前記光軸と垂直な方向から見た場合、前記第１の付勢部材は、前記光軸を中心として対称に一対設けられ、
前記一対の第１の付勢部材の光軸方向に伸びた突起部の先端の各々は、前記光学装置が衝撃を受けない場合、前記光学部材の前記光軸と垂直な方向に伸びた突起部と接触して前記光学部材を光軸方向及び前記光軸方向と垂直な方向へ付勢しており、
前記光軸方向から見た場合、前記光学部材と前記保持部材が当接する当接面は、前記一対の第１の付勢部材の突起部の各々の根元に位置し、
前記光軸方向から見た場合、前記光学部材と前記保持部材が当接する当接面は、前記一対の第３の付勢部材の突起部の間に位置する請求項７に記載の光学装置。
【請求項９】
前記光軸と垂直な方向から見た場合、前記一対の第３の付勢部材の光軸方向に伸びた突起部の先端の爪部は、前記光軸の中心に対して外側を向いており、
前記光軸と垂直な方向から見た場合、前記一対の第２の付勢部材の光軸方向に伸びた突起部の先端の爪部は、前記光軸を中心に対して内側を向いている請求項７に記載の光学装置。
【請求項１０】
前記光軸と垂直な方向から見た場合、前記一対の第３の付勢部材の光軸方向に伸びた突起部の先端の爪部は、前記当接面に対して前記爪部の先端から根元に向かい離れている請求項８に記載の光学装置。
【請求項１１】
前記保持部材は、摺動軸に沿って光軸方向に移動可能であり、
前記光軸方向から見た場合、前記第２の付勢部材及び前記第３の付勢部材は、前記第１の付勢部材よりも前記摺動軸に対して近くに位置する請求項１乃至１０の何れか一項に記載の光学装置。
【請求項１２】
光学部材を保持する保持部材と、
前記保持部材に形成され、且つ前記光学部材を光軸方向及び前記光軸方向と垂直な方向へ付勢する第１の付勢部材と、
前記保持部材に形成され、且つ周方向において前記第１の付勢部材と異なる位相に形成された第２の付勢部材と、
を有する光学装置であって、
前記第２の付勢部材の光軸方向に伸びた突起部の先端は、前記光学装置が衝撃を受けない場合、前記光学部材の前記光軸と垂直な方向に伸びた突起部と係合して前記光学部材を光軸方向及び前記光軸方向と垂直な方向へ付勢しており、
前記光学装置が衝撃を受けない場合、前記光学部材は、前記光学部材の突起部の根元に前記第２の付勢部材の光軸方向に伸びた突起部の先端から、前記光軸方向に近づく方向に伸びた突起と接触しない溝部を有することを特徴とする光学装置。
【請求項１３】
前記光軸と垂直な方向から見た場合、前記光学部材の溝部は、底面から開口面に向かい広がっている請求項１２に記載の光学装置。
【発明の詳細な説明】
【技術分野】
【０００１】
本発明は、レンズ、等の光学部材を保持する光学装置に関し、特に、静止画や動画を撮像可能な撮像装置に適用される光学装置に関するものである。
【背景技術】
【０００２】
被写体像を電気信号に変換して撮像する撮像装置では、撮影光束を撮像素子で受光し、その撮像素子から出力される光電変換信号を画像データに変換して、メモリカード等の記録媒体に記録する。
【０００３】
撮像素子としては、ＣＣＤ（Ｃｈａｒｇｅ  Ｃｏｕｐｌｅｄ  Ｄｅｖｉｃｅ）やＣＭＯＳセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）等が用いられる。
【０００４】
このような撮像装置においては、例えば、被写体像を撮影者が観察するためのファインダ装置や、被写体像に焦点を合わせるための焦点検出装置などが備えられている。
【０００５】
ファインダ装置や焦点検出装置は１つ以上の光学部品からなる光学ユニットであり、これら光学部品は高精度かつ強固に取り付けられる必要がある。
【０００６】
従来、光学部品の保持方法の一例として、以下に開示されたような方法がある。
【０００７】
特許文献１では、光学部品を接着せずに保持する構成のファインダ装置において、バネ性を有した部材で光学部品の光軸方向及び、光軸に垂直な方向へ押圧保持する方法が提案されている。
【０００８】
また、特許文献２のように光学部品に設けられた突起部が、光学部品保持部材のスリット部に設けられた精度面に当接することで、光学部品の高精度な位置決めを簡易に行う方法が提案されている。
【先行技術文献】
【特許文献】
【０００９】
【特許文献１】特開２０１５−１０２８２１号公報
【特許文献２】特登録３９６９３９７号公報
【発明の概要】
【発明が解決しようとする課題】
【００１０】
しかしながら、特許文献１に開示の従来技術では、組立完状態で光学部品を押圧保持する部材が多い。
【００１１】
そのため、平行・偏芯敏感度の高い光学部品を使用する場合に、光学部品の面精度が極度に歪むことで、所望の光学性能を満たせない可能性がある。
【００１２】
また、上述の特許文献２に開示された従来技術では、撮像装置に衝撃が加えられた際の光学部品の脱落防止について言及されておらず、脱落防止のためのカバー部材を設けた場合、撮像装置が大型化してしまう。
【００１３】
そこで、本発明の目的は、光学部品の保持において、簡易な構成で、光学部品の面精度の歪みを最小限に抑える。それを維持しながら、撮像装置に衝撃が加えられた際の光学部品の脱落を防止することが可能な光学装置を提供することである。
【課題を解決するための手段】
【００１４】
そこで、本発明の光学装置は、光学部材を保持する保持部材と、
前記保持部材に形成され、且つ前記光学部材を光軸方向及び前記光軸方向と垂直な方向へ付勢する第１の付勢部材と、
前記保持部材に形成され、且つ周方向において前記第１の付勢部材と異なる位相に形成された第２の付勢部材と、
前記保持部材に形成され、且つ周方向において前記第１の付勢部材よりも前記第２の付勢部材に近い位相に形成された第３の付勢部材と、を有する光学装置であって、
前記第２の付勢部材は、前記光学装置が衝撃を受けない場合、前記光学部材と接触して前記光学部材を光軸方向及び前記光軸と垂直な方向へ付勢しており、
前記第３の付勢部材は、前記光学装置が衝撃を受けない場合、前記光学部材と接触しておらず、
前記第３の付勢部材は、前記光学装置が衝撃を受けた場合、前記光学部材と接触して前記光学部材を光軸方向へ付勢することを特徴とする。
【発明の効果】
【００１５】
本発明によれば、光学部品の保持において、簡易な構成で、光学部品の面精度の歪みを最小限に抑えながら、撮像装置に衝撃が加えられた際の光学部品の脱落を防止できる光学装置を提供できる。
【図面の簡単な説明】
【００１６】
【図１】本発明の実施例におけるカメラの全体構成を示す概略図
【図２】第１の実施例における接眼ユニット１８の斜視図
【図３】第１の実施例における光学部品２００の正面図及び背面図
【図４】第１の実施例における光学部品保持部材３００の正面図
【図５】第１の実施例における組み立て途中段階１の斜視図
【図６】第１の実施例における接眼ユニット１８の正面図及び側面図
【図７】第１の実施例における組み立て途中段階１のＡ−Ａ断面図
【図８】第１の実施例における組み立て途中段階２の斜視図
【図９】第１の実施例における組み立て途中段階２のＡ−Ａ断面図
【図１０】第１の実施例における組み立て途中段階２の側面図及び断面図
【図１１】第１の実施例における組み立て途中段階３の側面図
【図１２】第１の実施例における組み立て完状態の側面図及び断面図
【図１３】第１の実施例における組み立て完状態のＡ−Ａ断面図
【図１４】第１の実施例における組み立て完状態のＢ−Ｂ断面図
【図１５】第１の実施例における組み立て完状態のＣ−Ｃ断面図
【図１６】第１の実施例における接眼ユニット１８の側面詳細図
【図１７】第２の実施例における焦点検出装置１４の斜視図及び上面図
【図１８】第３の実施例における接眼ユニット１８の斜視図
【図１９】第３の実施例における光学部品２００の正面図及び背面図
【図２０】第３の実施例における光学部品保持部材３００の正面図
【図２１】第３の実施例における接眼ユニット１８の正面図
【図２２】第３の実施例における接眼ユニット１８の正面拡大図
【図２３】第３の実施例における接眼ユニット１８のＭ−Ｍ断面図
【図２４】第３の実施例における接眼ユニット１８のＭ−Ｍ断面詳細図
【図２５】第４の実施例における接眼ユニット１８の斜視図
【図２６】第４の実施例における接眼ユニット１８の正面図
【図２７】第４の実施例における接眼ユニット１８の斜視図
【図２８】第４の実施例における接眼ユニット１８の正面図
【発明を実施するための形態】
【００１７】
［実施例１］
本発明の第１の実施例として、光学装置としてのカメラの構成について図面を参照しながら説明する。
【００１８】
本実施例における光学装置としてのカメラは、ＣＣＤやＣＭＯＳ型等の固体撮像素子を用いたデジタル一眼レフカメラに適用される。
【００１９】
図１は、本発明の実施例おけるカメラ１００の内部の全体構成を示す概略図である。
【００２０】
図１において、１０は撮影レンズ、１１は移動可能なメインミラー、１２はサブミラー、１３はフォーカシングスクリーンである。
【００２１】
また、１４は焦点検出装置、１５は撮像素子、１６はミラーボックス、１７はペンタプリズム、１８は接眼ユニット、１９は測光装置、２０はシャッターである。
【００２２】
撮影レンズ１０はカメラ１００本体に着脱可能に構成されている。なお１４、１８は請求項に記載の光学部品保持装置に相当する。
【００２３】
撮影レンズ１０によって、被写体像は結像面に結像する。
【００２４】
撮影レンズ１０は、不図示のレンズ駆動装置、露出制御を行うための絞り羽根群、およびこの絞り羽根群を駆動する絞り駆動装置等から構成されている。
【００２５】
メインミラー１１は、ハーフミラーで構成され、ミラーダウン状態となるときに、撮影レンズ１０により結像される被写体像をフォーカシングスクリーン１３に向けて反射させる。
【００２６】
このとき、メインミラー１１は、被写体像の一部をサブミラー１２に向けて透過させる。サブミラー１２はメインミラー１１を透過した被写体像を焦点検出装置１４に向けて反射させる。
【００２７】
メインミラー１１は、不図示のミラー駆動機構によって駆動される。
【００２８】
そうすると、撮像光路内に位置して、被写体像をフォーカシングスクリーン１３に導くミラーダウン状態と、撮像光路内から退避して、被写体像を撮像素子１５に導くミラーアップ状態とに遷移する。
【００２９】
サブミラー１２は、移動可能なメインミラー１１がミラー駆動機構によって駆動されることに連動して変位する。
【００３０】
具体的には、メインミラー１１がミラーダウン状態となるときに、サブミラー１２は、メインミラー１１を透過した被写体像を焦点検出装置１４に導く。
【００３１】
一方、メインミラー１１がミラーアップ状態となるときに、サブミラー１２は、メインミラー１１とともに撮像光路内から退避する。
【００３２】
ミラーボックス１６は、不図示のミラー駆動機構やミラー角度調整板を固定可能に構成される、樹脂成形などにより形成された略立方体の部材である。
【００３３】
ペンタプリズム１７は、フォーカシングスクリーン１３に結像した被写体像を正立正像に変換して反射する。
【００３４】
接眼ユニット１８は、後述する光学部品２００、光学部品保持部材３００によって構成され、ペンタプリズム１７で正立正像に変換して反射された被写体像を撮影者の目に到達させる。
【００３５】
また、接眼ユニット１８は、撮影者に応じて、視度を調整する機能を有している。
【００３６】
測光装置１９は、フォーカシングスクリーン１３に結像した被写体像の輝度をペンタプリズム１７を介して測定し、算出した出力信号に基づき、シャッター２０と前述の絞り駆動装置を駆動して、露光時の露出制御を行う。
【００３７】
焦点検出装置１４は、後述する光学部品４００、光学部品保持部材５００によって構成され、被写体像のデフォーカス量を検出する。
【００３８】
焦点検出装置１４の出力信号に基づき、撮影レンズ１０のレンズ駆動装置（不図示）が制御され、焦点調節が行われる。
【００３９】
シャッター２０は、被写体像の結像面への入射を機械的に制御する。
【００４０】
撮像素子１５は、撮影レンズ１０により結像された被写体像を撮像して電気信号に変換する。この撮像素子１５には、ＣＣＤ型、ＣＭＯＳ型等の固体撮像素子が用いられている。
【００４１】
ここから、図２〜図４を用いて、本発明の第１の実施例である一眼レフカメラに備えられている光学部品保持装置について説明する。
図２（ａ）は第１の実施例における接眼ユニット１８を−ｘ方向から見た斜視図である。
図２（ｂ）は第１の実施例における接眼ユニット１８を＋ｘ方向から見た斜視図である。
図３（ａ）は第１の実施例における光学部品２００の正面図である。
図３（ｂ）は第１の実施例における光学部品２００の背面図である。
図４は第１の実施例における光学部品保持部材３００の正面図である。
【００４２】
図２は、本発明の第１の実施例において、上述のカメラ１００内部の全体構成に示す接眼ユニット１８に含まれる光学部品２００が、光学部品保持部材３００に組み立てられている状態である。
【００４３】
以下、本文における光学部品２００とは、光学部材と同義である。
【００４４】
接眼ユニット１８は、複数の光学部品から構成されており、本発明の第１の実施例は、特にｚ軸方向にスライド可能な視度調整レンズに関する。
【００４５】
視度調整レンズをｚ軸方向に移動することで、接眼ユニット１８の視度を調整することが可能となっている。
【００４６】
一般的には、光学部品２００は透明度が高い光学用樹脂（ＺＥＯＮＥＸ、ポリカーボネート等）の成形により作製される。
【００４７】
光学部品２００は概形が略方形であり、中心には略球面形状のレンズ有効面、図に示すＲ１面が形成されている。
【００４８】
また、光学部品保持部材３００は樹脂（ポリカーボネート等）の成形により作製される。光学部品保持部材３００は、略箱形状で、光学部品２００を収納可能となっている。
【００４９】
光学部品２００、及び光学部品保持部材３００には、互いに接触（係合）するための構造が形成されているが、詳細は後述する。
【００５０】
光学部品２００は、外側に向かって、光軸に垂直な方向（図面ｘ方向）に延びた一対の第１の突起部２０１ａ、２０１ｂと、それらの突起部と相対する側面に、一対の第２の突起部２０２ａ、２０２ｂを有している。
【００５１】
光学部品保持部材３００は、光学部品２００の第１の突起部２０１ａ、２０１ｂに接触し、光学部品２００を光軸方向（図面ｚ方向）と、光軸に垂直な方向（図面ｘ方向）へ付勢する一対の第１の付勢部材３０１ａ、３０１ｂを有している。
【００５２】
また、光学部品保持部材３００は、光学部品２００の第２の突起部２０２ａ、２０２ｂに接触し、光学部品２００を光軸方向と、光軸に垂直な方向へ付勢する一対の第２の付勢部材３０２ａ、３０２ｂを有している。
【００５３】
さらに、光学部品保持部材３００は、光学部品２００の第２の突起部２０２ａ、２０２ｂに接触（係合）していない。
【００５４】
かつ、光学部品保持部材３００は、光軸に垂直な面方向に、光学部品２００の第２の突起部２０２ａ、２０２ｂと重畳している一対の第３の付勢部材３０３ａ、３０３ｂを有している。
【００５５】
第２の付勢部材３０２は、周方向において第１の付勢部材３０１と異なる位相に形成されている。
【００５６】
第３の付勢部材３０３は、周方向において第１の付勢部材３０１よりも第２の付勢部材３０２に近い位相に形成されている。
【００５７】
光軸と垂直な方向から見た場合、第２の付勢部材３０２は、光軸を中心として対称に一対設けられている。
【００５８】
光軸と垂直な方向から見た場合、第３の付勢部材３０３は、光軸を中心として対称に一対設けられている。
【００５９】
光軸と垂直な方向から見た場合、一対の第３の付勢部材３０３ａ、３０３ｂの光軸方向に伸びた突起部の先端の爪部は、光軸の中心に対して外側を向いている。
【００６０】
光軸と垂直な方向から見た場合、一対の第２の付勢部材３０２ａ、３０２ｂの光軸方向に伸びた突起部の先端の爪部は、光軸を中心に対して内側を向いている。
【００６１】
また、本発明の第１の実施例のように、視度調整レンズを保持する構成の場合、光学部品保持部材３００は摺動穴３０８または摺動軸（不図示）を有する。
【００６２】
以下、光学部品２００及び光学部品保持部材３００について詳細説明する。
【００６３】
図３は本発明の第１の実施例における光学部品２００の正面図及び背面図であり、図４は光学部品保持部材３００の正面図である。
【００６４】
図３（ａ）に示す通り、光学部品２００の一対の第１の突起部２０１ａ、２０１ｂ及び一対の第２の突起部２０２ａ、２０２ｂは、それぞれ図３に示す光学部品２００の光軸中心を通るｘ軸に対して、略対称に設けられている。
【００６５】
このような構成とすることで、光軸中心からバランスの取れた位置で光学部品２００が光学部品保持部材３００に接触するため、レンズ有効面における面精度の歪みを抑制できる。
【００６６】
図３（ｂ）の２０３ａ、２０３ｂ、２０３ｃは、光学部品２００における光学部品保持部材３００との当接面であり、図４の３０７ａ、３０７ｂ、３０７ｃは、光学部品保持部材３００における光学部品２００との当接面である。
【００６７】
光学部品２００において、当接面２０３ａは第１の突起部２０１ａの根元、当接面２０３ｂは第１の突起部２０１ｂの根元、当接面２０３ｃは第２の突起部２０２ａ、２０２ｂの間に形成されている。
【００６８】
光学部品２００の当接面２０３ａは、光学部品保持部材３００の当接面３０７ａと当接している。
【００６９】
光学部品２００の当接面２０３ｂは、光学部品保持部材３００の当接面３０７ｂと当接している。光学部品２００の当接面２０３ｃは、光学部品保持部材３００の当接面３０７ｃと当接している。
【００７０】
以上に説明した通り、当接面２０３ａ、２０３ｂ、２０３ｃを光学部品２００のレンズ有効面の光軸中心に対し、バランス良く配置している。具体的に、本実施例では略二等辺三角形の配置である。
【００７１】
これにより、組立完状態における光学部品２００の面精度の歪みを抑制できる。以下、光学部品２００と光学部品保持部材３００との当接面を基準面２５０と呼ぶ。
【００７２】
次に、図５〜図１２を用いて、光学部品保持部材３００に対し、光学部品２００を取り付ける詳細な手順について説明する。
【００７３】
図５（ａ）は組み立て途中段階１を−ｘ方向から見た斜視図である。
図５（ｂ）は組み立て途中段階１を＋ｘ方向から見た斜視図である。
図６は第１の実施例における接眼ユニット１８の正面図及び側面図である。
図７は組み立て途中段階１における、図６の一点鎖線部Ａ−Ａにおける断面図である。
図８は組み立て途中段階２を−ｘ方向から見た斜視図である。
図９は組み立て途中段階２における、図６の一点鎖線部Ａ−Ａにおける断面図である。
図１０は組み立て途中段階２の側面図である。
図１１は組み立て途中段階３の側面図である。
図１２（ａ）は組み立て完状態の側面図である。
図１２（ｂ）は組み立て完状態における、図６の一点鎖線部Ｂ−Ｂにおける断面図である。
図１２（ｃ）は組み立て完状態における、図６の一点鎖線部Ｃ−Ｃにおける断面図である。
【００７４】
まず、図５に示すように、光学部品保持部材３００に対して斜め方向から光学部品２００を挿入する（組み立て途中段階１）。
【００７５】
図７は組み立て途中段階１における図６のＡ−Ａ断面図である。光学部品２００の突起部２０１ａが光学部品保持部材３００の第１の付勢部材３０１ａの−ｚ側に挿入された状態であり、図５に示す通り、光学部品２００の突起部２０２ａと光学部品保持部材３００の第２の付勢部材３０２ａはまだ接触していない状態である。
【００７６】
上述の状態から、図５の矢印Ｒ方向へ、突起部３０１ａ周辺を軸として（Ｙ軸周りに）光学部品２００を回転させると、図８の状態となる（組み立て途中段階２）。
【００７７】
図９は組み立て途中段階２における図６のＡ−Ａ断面図である。
【００７８】
このとき、図９の拡大図Ｅに示すように、光学部品２００の突起部２０１ａが＋ｚ方向へ移動し、光学部品保持部材３００の第１の付勢部材３０１ａを＋ｚ方向へ押し上げる。
【００７９】
これにより図９の拡大図Ｅ中の矢印Ｆ方向に示すように、光学部品２００の突起部２０１ａに対して−ｚ方向へ押さえつける荷重が作用する。
【００８０】
一方、図１０は組み立て途中段階２における側面図である。
【００８１】
このとき、図１０に示す通り、光学部品２００の突起部２０２ａと、光学部品保持部材の第２の付勢部材３０２ａ、及び第３の付勢部材３０３ａはまだ接触していない状態である。
【００８２】
ここから、光学部品２００は光学部品保持部材３００に対して、ｚ方向に略平行な方向から挿入されることとなる。
【００８３】
図１０の状態から、さらに光学部品２００を−ｚ方向へ押し込んだ状態が図１１（組み立て途中段階３）である。
【００８４】
ここで、光学部品２００の第２の突起部２０２ａと光学部品保持部材３００の第２の付勢部材３０２ａ、及び第３の付勢部材３０３ａが接触（係合）し始める。
【００８５】
次に、光学部品保持部材３００の第２の付勢部材３０２ａ、及び第３の付勢部材３０３ａに対してｙ方向に押し広げる力が作用する。
【００８６】
この力の作用により、第２の付勢部材３０２ａ、及び第３の付勢部材３０３ａが弾性変形し、ｙ方向に押し広げられることとなる。
【００８７】
ここで、第２の付勢部材３０２ａ、及び第３の付勢部材３０３ａの先端は傾斜形状としている。これにより、組立性も向上する。
【００８８】
さらに光学部品２００を押し込む。
【００８９】
そうすると、光学部品保持部材３００の第２の付勢部材３０２ａ、及び第３の付勢部材３０３ａの先端は光学部品２００の第２の突起部２０２ａの先端を乗り越え、図１２（ａ）に示す状態となる（組み立て完状態）。
【００９０】
この状態では、第２の付勢部材３０２ａ周辺にて、図１２（ｂ）中の矢印Ｆｚ２に示すような、光学部品２００を−ｚ方向へ引き込む荷重が作用することとなる。
【００９１】
一方、第３の付勢部材３０３ｂ周辺では、図１２（ｃ）中に示すように、光学部品２００と第３の付勢部材３０３ｂの間にはクリアランスΔｚができるようになっており、光学部品２００には荷重が作用しない。
【００９２】
また、光学部品２００と光学部品保持部材３００のｘ方向及びｙ方向の位置決めは、不図示の位置決め部によって、微小な隙間を有する嵌合関係となっている。
【００９３】
最終的には、上述した光学部品２００と光学部品保持部材３００との基準面２５０が当接した段階で接触は完了する。
【００９４】
本実施例のように、第１の付勢部材３０１ａ、３０１ｂと第２の付勢部材３０２ａ、３０２ｂで、光学部品２００を接触させる構成とする。そうすることで、光学部品２００を光学部品保持部材３００に対して接着剤や追加部品を用いることなく、簡易に保持できる。
【００９５】
続いて、図１３〜図１６を用いて、光学部品保持部材３００と光学部品２００の各接触部の役割について詳細説明する。
【００９６】
図１３は組み立て完状態における、図６の一点鎖線部Ａ−Ａにおける断面詳細図である。
図１４は組み立て完状態における、図６の一点鎖線部Ｂ−Ｂにおける断面詳細図である。
図１５は組み立て完状態における、図６の一点鎖線部Ｃ−Ｃにおける断面詳細図である。
図１６は第１の実施例における接眼ユニット１８の側面詳細図である。
【００９７】
図１３は、組み立て完状態における光学部品２００の第１の突起部２０１ａ（２０１ｂ）、及び光学部品保持部材３００の第１の付勢部材３０１ａ（３０１ｂ）のＡ−Ａ断面図と拡大図Ｆである。
【００９８】
第１の突起部２０１ａ（２０１ｂ）の斜面部２２０ａ（２２０ｂ）と、光学部品保持部材３００の第１の付勢部材３０１ａ（３０１ｂ）のエッジ３２０ａ（３２０ｂ）が当接することで、光学部品２００は付勢されている。
【００９９】
この場合の付勢力は、光軸方向の付勢力Ｆｚ１、及び光軸に垂直な方向の付勢力Ｆｘ１に分けられる。
【０１００】
図１４は、組み立て完状態における光学部品２００の第２の突起部２０２ａ（２０２ｂ）、及び光学部品保持部材３００の第２の付勢部材３０２ａ（３０２ｂ）のＢ−Ｂ断面図と拡大図Ｇである。
【０１０１】
第２の突起部２０２ａ（２０２ｂ）の斜面部２３０ａ（２３０ｂ）と、光学部品保持部材３００の第２の付勢部材３０２ａ（３０２ｂ）のエッジ３３０ａ（３３０ｂ）が当接することで、光学部品２００は付勢されている。
【０１０２】
この場合の付勢力は、光軸方向の付勢力Ｆｚ２、及び光軸に垂直な方向の付勢力Ｆｘ２に分けられる。
【０１０３】
光学部品２００と光学部品保持部材３００の斜面部２２０ａ（２２０ｂ）とエッジ３２０ａ（３２０ｂ）の当接、及び斜面部２３０ａ（２３０ｂ）とエッジ３３０ａ（３３０ｂ）の当接は線接触している。
【０１０４】
線接触とすることで、付勢力Ｆｚ１、Ｆｘ１、及びＦｚ２、Ｆｘ２を最小限に抑え、面精度の歪みを抑制している。
【０１０５】
光学部品２００の面精度の歪みを許容できる場合は、光学部品２００と光学部品保持部材３００の線接触は面接触にしてもよい。
【０１０６】
また、光学部品２００に対する第１の付勢部材３０１ａ（３０１ｂ）の光軸方向の付勢力Ｆｚ１は、光学部品２００に対する第２の付勢部材３０２ａ（３０２ｂ）の光軸方向の付勢力Ｆｚ２よりも大きい。
【０１０７】
上述したように、光学部品２００と光学部品保持部材３００の基準面２５０は、第１の付勢部材３０１ａ（３０１ｂ）の突起部の各々の根元、及び第３の付勢部材３０３ａ（３０３ｂ）の突起部の間に位置している。
【０１０８】
そのため、より光軸方向の付勢力が大きい第１の付勢部材３０１ａ（３０１ｂ）の根元に、光学部品２００と光学部品保持部材３００の基準面２５０があることで、バランスよく光学部品２００を保持している。
【０１０９】
さらに、光学部品２００への付勢力のバランスを考慮する。
【０１１０】
その場合、光学部品２００と光学部品保持部材３００の基準面２５０から、図１３に示す第１の付勢部材３０１ａ（３０１ｂ）と光学部品２００との当接部であるエッジ３２０ａ（３２０ｂ）までの高さをｚ１とする。
【０１１１】
図１４に示す第２の付勢部材３０２ａ（３０２ｂ）と光学部品２００との当接部であるエッジ３３０ａ（３３０ｂ）までの高さをｚ２とする。
【０１１２】
ｚ１とｚ２は等しいことが好適である。
【０１１３】
図１５は、組み立て完状態における光学部品２００の第２の突起部２０２ａ（２０２ｂ）、及び光学部品保持部材３００の第３の付勢部材３０３ａ（３０３ｂ）のＣ−Ｃ断面図と拡大図Ｈである。
【０１１４】
図１５に示す通り、組み立て完状態において、光学部品２００の第２の突起部２０２ａ（２０２ｂ）と、光学部品保持部材３００の第３の付勢部材３０３ａ（３０３ｂ）の間にはクリアランスΔｚが設けられている。
【０１１５】
また、図６の正面図に示す通り、光学部品２００の第２の突起部２０２ａ、２０２ｂと、光学部品保持部材３００の第３の付勢部材３０３ａ（３０３ｂ）は、光軸に垂直な面方向に重畳している。
【０１１６】
このとき、光学部品保持部材３００の第３の付勢部材３０３ａ（３０３ｂ）は、組み立て完状態においてはクリアランスΔｚが設けられているため、光学部品２００に対して付勢力を発生させない。
【０１１７】
一方で、図６の＋ｚ方向、つまり光学部品２００の脱落方向に光学部品２００及び光学部品保持部材３００を含むカメラ１００に衝撃が加わった際は、光学部品２００が＋ｚ方向に移動する。
【０１１８】
その際、図１５に示す光学部品２００の第２の突起部２０２ａ（２０２ｂ）と、光学部品保持部材３００の第３の付勢部材３０３ａ（３０３ｂ）のクリアランスΔｚは０となり、面接触する。よって、第３の付勢部材３０３ａ（３０３ｂ）は光学部品２００の脱落を防ぐ方向に付勢する。
【０１１９】
カメラ１００が衝撃を受けた場合、第３の付勢部材３０３ａ（３０３ｂ）は光学部品２００と面接触しており、一方で第２の付勢部材３０２ａ（３０２ｂ）は光学部品２００と線接触している。
【０１２０】
そのため、第３の付勢部材３０３ａ（３０３ｂ）は光学部品２００との接触面積は、第２の付勢部材３０２ａ（３０２ｂ）と比べて大きく、光学部品２００の脱落を防止する効果は高い。
【０１２１】
上述の構成をとることで、第３の付勢部材組み立て完状態においてはクリアランスΔｚがある。
【０１２２】
そのため、第３の付勢部材３０３ａ（３０３ｂ）は光学部品２００の面精度に影響を与えず、一方でカメラ１００に衝撃が加わった際は、クリアランスΔｚは０となり、脱落を防ぐ方向に付勢する。
【０１２３】
そのため、光学部品２００の面精度の歪みを最小限に抑えながら、カメラ１００に衝撃が加えられた際の光学部品２００の脱落を防止することができる。
【０１２４】
図１６は第１の実施例における接眼ユニット１８の側面図と拡大図Ｉである。
【０１２５】
図１６を用いて光学部品２００の第２の突起部２０２ａ、２０２ｂと、光学部品保持部材３００の第２の付勢部材３０２ａ、３０２ｂ、第３の付勢部材３０３ａ、３０３ｂとの位置関係について説明する。
【０１２６】
光学部品保持部材３００の第２の付勢部材３０２ａ、３０２ｂ、第３の付勢部材３０３ａ、３０３ｂは、それぞれ光学部品２００の第２の突起部２０２ａ、２０２ｂを中心に略対称に設けられている。
【０１２７】
具体的に、本実施例では光学部品２００の第２の突起部２０２ａを中心に、光学部品保持部材３００の第２の付勢部材３０２ａと第３の付勢部材３０３ａが略対称に設けられている。
【０１２８】
以下、第１の付勢部材群３０４ａと呼ぶ。
【０１２９】
また、光学部品２００の第２の突起部２０２ｂを中心に、光学部品保持部材３００の第２の付勢部材３０２ｂと第３の付勢部材３０３ｂが略対称に設けられている。
【０１３０】
以下、第２の付勢部材群３０４ｂと呼ぶ。
【０１３１】
さらに、光学部品保持部材３００の第２の付勢部材３０２ａ、３０２ｂはそれぞれ突起部３０５ａ、３０５ｂを有している。
【０１３２】
同様に、光学部品保持部材３００の第３の付勢部材３０３ａ、３０３ｂはそれぞれ突起部３０６ａ、３０６ｂを有している。
【０１３３】
第１の付勢部材群３０４ａと第２の付勢部材群３０４ｂで、突起部３０５ａ、３０５ｂ、及び突起部３０６ａ、３０６ｂは逆方向に延びている。
【０１３４】
よって、光学部品２００が図１６のｙ方向に嵌合ガタ内でズレた際も、第２の付勢部材３０２ａ、３０２ｂの付勢機能と、第３の付勢部材３０３ａ、３０３ｂの脱落防止機能を、保証することができる。
【０１３５】
具体的に、図１６の拡大図Ｉにおいて、ｙ１は光学部品２００の第２の突起部２０２ａと光学部品保持部材の第２の付勢部材３０２ａの係り量を示す。
【０１３６】
ｙ２は光学部品２００の第２の突起部２０２ａと光学部品保持部材３００の第３の付勢部材３０３ａの係り量を示している。
【０１３７】
同様に、ｙ４は光学部品２００の第２の突起部２０２ｂと光学部品保持部材３００の第２の付勢部材３０２ｂの係り量を示す。
【０１３８】
ｙ３は光学部品２００の第２の突起部２０２ｂと光学部品保持部材３００の第３の付勢部材３０３ｂの係り量を示している。
【０１３９】
ここで、図面＋ｙ方向に光学部品２００がズレた場合、第２の付勢部材の突起部３０２ｂの係り量ｙ３、及び第３の付勢部材３０３ａの係り量ｙ２は減ってしまう。
【０１４０】
一方、第２の付勢部材の突起部３０２ａの係り量ｙ１、及び第３の付勢部材３０３ｂの係り量ｙ４は増える。
【０１４１】
そのため、光学部品２００が図面＋ｙ方向、−ｙ方向のいずれにズレた場合であったとする。それでも、光学部品保持部材３００の第２の付勢部材３０２ａ、３０２ｂの一方と、第３の付勢部材３０３ａ、３０３ｂの一方は必ず光学部品２００を付勢するように保証される。
【０１４２】
また、第１の付勢部材群３０４ａ、及び第２の付勢部材群３０４ｂにおいて、光学部品２００の光軸中心から遠い位置に第２の付勢部材３０２ａ、３０２ｂを配置している。
【０１４３】
また、光軸中心から近い位置に第３の付勢部材３０３ａ、３０３ｂが配置している。
【０１４４】
このような構成をとることで、光学部品保持部材３００の第１の付勢部材３０１ａ、３０１ｂの付勢力と、第２の付勢部材３０２ａ、３０２ｂの付勢力とのバランスが良くなり、組立完状態における光学部品２００の面精度の歪みを抑制できる。
【０１４５】
また、上述した第３の付勢部材の突起部３０６ａ、３０６ｂは、光学部品２００の光軸方向において、基準面２５０側（−ｚ方向）から反基準面側（＋ｚ方向）に向かって角度θ１の傾斜部３０８ａ、３０８ｂを有している。
【０１４６】
この傾斜部３０８ａ、３０８ｂに対応して、光学部品２００の第２の突起部２０２ａ、２０２ｂは傾斜部２０４ａ、２０４ｂを有している。
【０１４７】
このような構成をとることで、光学部品保持部材３００の傾斜部３０８ａ、３０８ｂに、光学部品２００の傾斜部２０４ａ、２０４ｂが面接触する際、第３の付勢部材３０３ａ、３０３ｂの開きを抑制する方向に力が働く。
【０１４８】
そのため、カメラ１００に衝撃が加えられた際の光学部品２００の脱落防止効果を、さらに高めることができる。
【０１４９】
また、本実施例では、図１３、図１４における光軸に垂直な方向の付勢力Ｆｘ１、Ｆｘ２の大小関係がＦｘ１＞Ｆｘ２となるように構成されている。
【０１５０】
このとき、光学部品２００は常に−ｘ方向、つまり光学部品２００の第２の突起部２０２ａ、２０２ｂと光学部品保持部材３００の第２の付勢部材３０２ａ、３０２ｂの接触、及び第３の付勢部材３０３ａ、３０３ｂの重畳が深くなる方向に付勢される。
【０１５１】
このような構成をとることで、第２の突起部２０２ａ、２０２ｂに対して、第２の付勢部材３０２ａ、３０２ｂの接触、及び第３の付勢部材３０３ａ、３０３ｂの重畳が一定以上保証される。
【０１５２】
そのため、光学部品２００の脱落防止効果を、さらに高めることができる。
【０１５３】
また、光学部品２００の第２の突起部２０２ａ、２０２ｂは基準面２５０側に傾斜部２０５ａ、２０５ｂを有している。
【０１５４】
具体的に、本実施例では傾斜部２０５ａ、２０５ｂはＲ形状で形成されている。
【０１５５】
さらに、光学部品保持部材３００の突起部３０５ａ、３０５ｂ、及び突起部３０６ａ、３０６ｂは、先端に傾斜部３０９ａ、３０９ｂを有している。
【０１５６】
このような構成をとることで、組み立て時に、傾斜部２０５ａ、２０５ｂと、傾斜部３０９ａ、３０９ｂが接触する。そのため、第２の付勢部材突起部３０５ａ、３０５ｂ、及び第３の付勢部材３０３ａ、３０３ｂの塑性変形を抑制することができる。
【０１５７】
また、傾斜部２０５ａ、２０５ｂと、傾斜部３０９ａ、３０９ｂによって、組み立て時の反力も分散されるため、組立性も向上する。
【０１５８】
さらに、本実施例では図６に示す通り、光学部品保持部材３００は光学部品２００の光軸中心に対して−ｘ方向に、摺動穴３１０を有する。
【０１５９】
摺動穴３１０に沿って、光学部品保持部材３００はｚ軸方向にスライド可能であり、接眼ユニット１８は視度調整される。
【０１６０】
一般的に、摺動穴３１０近傍は主動側であり、光学部品２００を挟んで反対側が従動側となっており、主動側において不図示の部材と噛み合うことで、光学部品保持部材３００はｚ方向にスライドする。
【０１６１】
そのため、カメラ１００に対して、光学部品２００が光学部品保持部材３００から脱落する方向（＋ｚ方向）に衝撃が加えらる。その際、光学部品保持部材３００は不図示の摺動軸３１０近傍に構成された部材を通して、衝撃を受けることになる。
【０１６２】
本実施例では、第３の付勢部材３０３ａ、３０３ｂは摺動穴３１０の略近傍に配置されている。
【０１６３】
本実施例では、第２の付勢部材は、光学装置が衝撃を受けない場合、光学部品２００と接触して光学部品２００を光軸方向及び光軸と垂直な方向へ付勢している。また、第３の付勢部材３０３は、光学装置が衝撃を受けない場合、光学部品２００と接触していない。また、第３の付勢部材は、光学装置が衝撃を受けた場合、光学部品２００と接触して光学部品２００を光軸方向へ付勢する。
【０１６４】
このような構成をとることで、衝撃を受けやすい摺動軸３１０近傍にて、光学部品２００と第３の付勢部材３０３ａ、３０３ｂが面接触し、光学部品２００の脱落を防止することができる。
【０１６５】
また、本実施例では、光学装置が衝撃を受けない場合に第２の付勢部材が光学部材と接触する面積は、光学装置が衝撃を受けた場合に第３の付勢部材が光学部材と接触する面積よりも小さい。
【０１６６】
［実施例２］
続いて、本発明の第２の実施例として、本発明を焦点検出装置１４に適用した例を、図１７を用いて説明する。
【０１６７】
図１７（ａ）は第２の実施例における焦点検出装置１４を＋ｘ方向から見た斜視図である。
図１７（ｂ）は第２の実施例における焦点検出装置１４を＋ｙ方向から見た上面図である。
【０１６８】
本発明の第２の実施例における焦点検出装置１４の機能について説明する。
【０１６９】
カメラ１００において、被写体からの光は、撮影レンズ１０を通過した後、ハーフミラーより構成されたメインミラー１１に入射する。
【０１７０】
メインミラー１１に入射した光の一部はメインミラーを透過し、サブミラー１２で反射されて焦点検出装置１４の光学部品４００に入射する。ここで光学部品４００は、入射した光（光束）を集光させるフィールドレンズである。
【０１７１】
図１７は、本発明の第２の実施例において、光学部品４００が、光学部品保持部材５００に組み立てられている状態である。
【０１７２】
上述した第１の実施例である接眼ユニット１８と同様、光学部品４００は第１の突起部４０１ａ、４０１ｂ、及び第２の突起部４０２ａ、４０２ｂを有している。
【０１７３】
よって、光学部品保持部材５００は第１の付勢部材５０１ａ、５０１ｂ、第２の付勢部材５０２ａ、５０２ｂ、及び第３の付勢部材５０３ａ、５０３ｂを有している。
【０１７４】
第１の突起部４０１ａ、４０１ｂは、第１の実施例における２０１ａ、２０１ｂと同じ機能を有している。
【０１７５】
第２の突起部４０２ａ、４０２ｂは、第１の実施例における２０２ａ、２０２ｂと同じ機能を有している。
【０１７６】
第１の付勢部材５０１ａ、５０１ｂは、第１の実施例における３０１ａ、３０１ｂと同じ機能を有している。
【０１７７】
第２の付勢部材５０２ａ、５０２ｂは、第１の実施例における３０２ａ、３０２ｂと同じ機能を有している。第３の付勢部材５０３ａ、５０３ｂは、第１の実施例における３０３ａ、３０３ｂと同じ機能を有している。
【０１７８】
このように、本発明は接眼ユニット１８だけでなく、焦点検出装置１４を含むその他の光学部品保持装置にも適用可能である。
【０１７９】
［実施例３］
続いて、本発明の第３の実施例を、図１８〜図２４を用いて説明する。
【０１８０】
図１８（ａ）は第３の実施例における接眼ユニット１８を−ｘ方向から見た斜視図である。
図１８（ｂ）は第３の実施例における接眼ユニット１８を＋ｘ方向から見た斜視図である。
図１９（ａ）は第３の実施例における光学部品２００の正面図である。
図１９（ｂ）は第３の実施例における光学部品２００の背面図である。
図２０は第３の実施例における光学部品保持部材３００の正面図である。
図２１は第３の実施例における接眼ユニット１８の正面図である。
図２２は図２１の拡大図である。
図２３は図２２の一点鎖線部Ｋ−Ｋにおける断面詳細図である。
図２４は光学部品２００の脱落方向に衝撃が加わった状態における、図２２の一点鎖線部Ｋ−Ｋにおける断面詳細図である。
【０１８１】
図１８は、本発明の第３の実施例において、光学部品２００が、光学部品保持部材３００に組み立てられている状態である。
【０１８２】
光学部品２００は、外側に向かって、光軸に垂直な方向（図面ｚ方向）に延びた一対の第１の突起部２０１ａ、２０１ｂと、第１の突起部２０１ａ、２０１ｂと相対する側面に、少なくとも一つの第２の突起部２０２を有している。
【０１８３】
光学部品保持部材３００は、光学部品２００の第１の突起部２０１ａ、２０１ｂに接触し、光学部品２００の光軸方向と、光軸に垂直な方向へ付勢する一対の第１の付勢部材３０１ａ、３０１ｂを有している。
【０１８４】
また、光学部品保持部材３００は、光学部品２００の第２の突起部２０２に接触し、光学部品２００を光軸方向と、光軸に垂直な方向へ付勢する少なくとも一対の第２の付勢部材３０２ａ、３０２ｂを有している。
【０１８５】
さらに第２の付勢部材３０２ａ、３０２ｂは、光学部品２００方向に延びた突起部３１１ａ、３１１ｂを有している。光学部品２００は、突起部３１１ａ、３１１ｂと接触していない、凹形状２０５ａ、２０５ｂを有している。
【０１８６】
光学装置が衝撃を受けない場合、光学部品２００は、光学部品２００の突起部の根元に第２の付勢部材３０２の光軸方向に伸びた突起部の先端から、光軸方向に近づく方向に伸びた突起と接触しない溝部を有している。
【０１８７】
また、光軸と垂直な方向から見た場合、光学部品２００の溝部は、底面から開口面に向かい広がっている。
【０１８８】
以下、光学部品２００及び光学部品保持部材３００について詳細説明する。
【０１８９】
図１９は本発明の第３の実施例における光学部品２００の正面図及び背面図である。
【０１９０】
図１９（ａ）に示す通り、本発明の第１の実施例と同様である。
【０１９１】
光学部品保持部材３００と接触する光学部品２００の第１の突起部２０１ａ、２０１ｂは、光学部品２００の光軸中心に対して、対称に近い位置に配置されるほど、面精度の歪みを抑制するには好適である。
【０１９２】
図１９（ｂ）の２０３ａ、２０３ｂ、２０３ｃは、光学部品２００における光学部品保持部材３００との当接面である。
【０１９３】
図２０の３０７ａ、３０７ｂ、３０７ｃは、光学部品保持部材３００における光学部品２００との当接面である。
【０１９４】
光学部品２００において、当接面２０３ａは第１の突起部２０１ａの根元、当接面２０３ｂは第１の突起部２０１ｂの根元、当接面２０３ｃは第２の突起部２０２の根元に形成されている。
【０１９５】
光学部品２００の当接面２０３ａは、光学部品保持部材３００の当接面３０７ａと当接している。
【０１９６】
光学部品２００の当接面２０３ｂは、光学部品保持部材３００の当接面３０７ｂと当接している。
【０１９７】
光学部品２００の当接面２０３ｃは、光学部品保持部材３００の当接面３０７ｃと当接している。
【０１９８】
以上に説明した通り、当接面２０３ａ、２０３ｂ、２０３ｃを光学部品２００のレンズ有効面の光軸中心に対し、バランス良く配置している。
【０１９９】
具体的に、本実施例では略二等辺三角形の配置である。これにより、組立完状態における光学部品２００の面精度の歪みを抑制できる。
【０２００】
図２１は本発明の第３の実施例における光学部品２００と光学部品保持部材３００の組み立て完状態における正面図である。
【０２０１】
本発明の第３の実施例において、光学部品２００の第１の突起部２０１ａ、２０１ｂ、及び光学部品保持部材３００の第１の付勢部材３０１ａ、３０１ｂの接触は、第１の実施例と同様、図１３に示す通りである。
【０２０２】
また、光学部品２００の第２の突起部２０２、及び光学部品保持部材３００の第２の付勢部材３０２ａ、３０２ｂの接触においても、第１の実施例と同様、図１４に示す通りである。
【０２０３】
図２２は、図２１における光学部品２００の第２の突起部２０２、及び光学部品保持部材３００の第２の付勢部材３０２ａ、３０２ｂの拡大図Ｊである。
【０２０４】
図２２に示す通り、光学部品保持部材３００の突起部３１１ａ、３１１ｂは、光学部品２００の方向に延びており、光学部品２００は凹形状２０５ａ、２０５ｂを有している。図２２のｙは、組立完状態における光学部品２００の第２の突起部２０２と、光学部品保持部材３００の第２の付勢部材３０２ａ、３０２ｂの係り量を表している。
【０２０５】
図２３は、図２２における光学部品２００と光学部品保持部材３００のＫ−Ｋ断面図である。
【０２０６】
図２３に示す通り、光学部品２００の凹形状２０５ａ、２０５ｂには、角度θ２の傾斜２０６ａ、２０６ｂが形成されている。
【０２０７】
本実施例では、角度θ２を５°以上の傾斜となるように形成した。これにより、光学部品２００の成形性が向上する。
【０２０８】
また、光学部品２００の凹形状２０５ａ、２０５ｂと、光学部品保持部材３００の突起部３１１ａ、３１１ｂとの間にはΔｙのクリアランスが設けられている。
【０２０９】
そのため、組立完状態においては、光学部品２００の凹形状２０５ａ、２０５ｂと、光学部品保持部材３００の突起部３１１ａ、３１１ｂは当接していない。
【０２１０】
一方、図２４は、カメラ１００に衝撃が加えられた際に、光学部品２００が浮き上がり、光学部品保持部材３００の第２の付勢部材３０２ａ、３０２ｂが開き始めている状態を表している。
【０２１１】
第２の付勢部材３０２ａ、３０２ｂが一定以上開くと、光学部品２００の凹形状２０５ａ、２０５ｂと、光学部品保持部材３００の突起部３１１ａ、３１１ｂとの間のクリアランスΔｙ＝０となる。
【０２１２】
この時、図２４に示す通り、光学部品２００の凹形状２０５ａ、２０５ｂに形成された傾斜２０６ａ、２０６ｂと、光学部品保持部材３００の突起部３１１ａ、３１１ｂは当接する。
【０２１３】
そして、光学部品保持部材３００の第２の付勢部材３０２ａ、３０２ｂはＦｙ１、Ｆｙ２方向、つまり閉じ方向に付勢され、光学部品２００の脱落を防止する。
【０２１４】
このような構成をとることで、組み立て完状態における光学部品２００の面精度の歪みを最小限に抑えながら、カメラ１００に衝撃が加えられた際の光学部品２００の脱落を防止することができる。
【０２１５】
［実施例４］
最後に、本発明の第４の実施例を、図２５〜図２８を用いて説明する。
【０２１６】
図２５は第４の実施例の形態１における光学部品保持装置１８を＋ｘ方向から見た斜視図である。図２６は第４の実施例の形態１における光学部品保持装置１８の正面図である。
【０２１７】
図２７は第４の実施例の形態２における光学部品保持装置１８を＋ｘ方向から見た斜視図である。
【０２１８】
図２８は第４の実施例の形態２における光学部品保持装置１８の正面図である。
【０２１９】
本発明の第４の実施例の形態１では、まず、光学部品２００に第２の突起部２０２ａ、２０２ｂ、光学部品保持部材３００に第２の付勢部材３０２ａ、３０２ｂ、第３の付勢部材３０３ａ、３０３ｂが設けられている。
【０２２０】
また、光学部品２００に凹形状２０５ａ、２０５ｂ、光学部品保持部材３００の第２の付勢部材３０２ａ、３０２ｂに突起部３１１ａ、３１１ｂが設けられている。
【０２２１】
ここで、光学部品保持装置１８が衝撃を受けた場合に、突起部３１１ａ、３１１ｂが光学部品２００の凹形状２０５ａ、２０５ｂに当接するため、第２の付勢部材３０２ａ、３０２ｂは光学部品２００の閉じ方向（脱落を防止する方向）に付勢される。
【０２２２】
このように、第２の付勢部材３０２ａ、３０２ｂが閉じ方向に付勢されるため、光学部品保持装置１８が衝撃を受けない場合の、第２の付勢部材３０２ａ、３０２ｂによって光学部品２００をｚ方向に付勢する力は最小限でよい。
【０２２３】
また、光学部品保持装置１８が衝撃を受けた場合に、第３の付勢部材３０３ａ、３０３ｂは光学部品２００の第２の突起部２０２ａ、２０２ｂに面接触し、脱落を防止する方向に付勢する。
【０２２４】
このように、脱落防止効果を組み合わせることで、第２の実施例と比べて、光学部品保持装置１８が衝撃を受けない場合の、第２の付勢部材３０２ａ、３０２ｂによって光学部品２００をｚ方向に付勢する力をさらに小さくすることができる。
【０２２５】
つまり、より効果的に、組み立て完状態における光学部品２００の面精度の歪みを最小限に抑えながら、カメラ１００に衝撃が加えられた際の光学部品２００の脱落を防止することができる。
【０２２６】
続いて、第４の実施例の形態２について説明する。
【０２２７】
第４の実施例の形態２では、まず光学部品２００に第２の突起部２０２ａ、２０２ｂ、接触面２０７、光学部品保持部材３００に第２の付勢部材３０２ａ、３０２ｂ、第３の付勢部材３０３ｃが設けられている。
【０２２８】
また、光学部品２００に凹形状２０５ａ、２０５ｂ、光学部品保持部材３００の第２の付勢部材３０２ａ、３０２ｂに突起部３１１ａ、３１１ｂが設けられている。
【０２２９】
第４の実施例の形態２でも同様に、第２の付勢部材３０２ａ、３０２ｂが閉じ方向に付勢される。
【０２３０】
そのため、光学部品保持装置１８が衝撃を受けない場合の、第２の付勢部材３０２ａ、３０２ｂによって光学部品２００をｚ方向に付勢する力は最小限でよい。
【０２３１】
また、光学部品保持装置１８が衝撃を受けた場合に、第３の付勢部材３０３ｃは光学部品２００の接触面２０７に面接触し、脱落を防止する方向に付勢する。
【０２３２】
第４の実施例の形態２では、第２の実施例と比べて、第３の付勢部材の数が少ない、より簡易な構成で、脱落防止効果を得ることができる。
【０２３３】
上述の通り、本発明によって、光学部品の保持において、簡易な構成で、光学部品の面精度の歪みを最小限に抑えながら、撮像装置に衝撃が加えられた際の光学部品の脱落を防止することが可能な光学部品保持装置を提供することができる。
【０２３４】
以上、本発明の好ましい実施例について説明したが、本発明はこれらの実施例に限定されず、その要旨の範囲内で種々の変形及び変更が可能である。
【符号の説明】
【０２３５】
１４  焦点検出装置
１８  接眼ユニット
２００、４００  光学部品
２０１ａ、２０１ｂ、４０１ａ、４０１ｂ  第１の突起部
２０２ａ、２０２ｂ、４０２ａ、４０２ｂ、２０２  第２の突起部
２０７  接触面
３００、５００  光学部品保持部材
３０１ａ、３０１ｂ、５０１ａ、５０１ｂ  第１の付勢部材
３０２ａ、３０２ｂ、５０２ａ、５０２ｂ  第２の付勢部材
３０３ａ、３０３ｂ、３０３ｃ、５０３ａ、５０３ｂ  第３の付勢部材
２０５ａ、２０５ｂ  凹形状
３１１ａ、３１１ｂ  突起部
【図１】
2018022071.tif 000003
【図２】
2018022071.tif 000004
【図３】
2018022071.tif 000005
【図４】
2018022071.tif 000006
【図５】
2018022071.tif 000007
【図６】
2018022071.tif 000008
【図７】
2018022071.tif 000009
【図８】
2018022071.tif 000010
【図９】
2018022071.tif 000011
【図１０】
2018022071.tif 000012
【図１１】
2018022071.tif 000013
【図１２】
2018022071.tif 000014
【図１３】
2018022071.tif 000015
【図１４】
2018022071.tif 000016
【図１５】
2018022071.tif 000017
【図１６】
2018022071.tif 000018
【図１７】
2018022071.tif 000019
【図１８】
2018022071.tif 000020
【図１９】
2018022071.tif 000021
【図２０】
2018022071.tif 000022
【図２１】
2018022071.tif 000023
【図２２】
2018022071.tif 000024
【図２３】
2018022071.tif 000025
【図２４】
2018022071.tif 000026
【図２５】
2018022071.tif 000027
【図２６】
2018022071.tif 000028
【図２７】
2018022071.tif 000029
【図２８】
2018022071.tif 000030